(57)【特許請求の範囲】
【請求項１】
シートベースに可動フードをリール脚固定位置とそのリール脚固定位置より後方に設定される退避位置とに亘って前後移動自在に取り付けるとともに、前記可動フードを位置固定するロック手段を、可動フードに備えられたロック片とロック片に係合する係合歯部とで構成してある釣り竿のリールシート構造であって、
前記シートベースに、前記可動フードの可動方向に沿ってスライド移動する調節体を装着し、前記調節体に前記ロック片が係合する係合歯部を設けるとともに調節ネジ部を刻設し、前記調節ネジ部に螺合する調節ナットを前記シートベースに取付け、前記調節ナットへの回転操作によって前記調節体を前記可動フードの可動方向に移動可能に構成してある釣り竿のリールシート構造。
【請求項２】
前記係合歯部における歯のピッチを前記調節ネジ部のネジピッチより大きく形成してある請求項１記載の釣り竿のリールシート構造。
【請求項３】
請求項１または２記載のリールシート構造を有する釣り竿。
【発明の詳細な説明】
【技術分野】
【０００１】
本発明は、シートベースに可動フードをリール脚固定位置とそのリール脚固定位置より後方に設定される退避位置とに亘って前後移動自在に取り付けるとともに、前記可動フードを位置固定するロック手段を、前記シートベースの可動フード取付面に形成した係合歯部と可動フードに備えられ前記係合歯部に弾性変形によって係合離脱自在なロック片とで構成してある釣り竿のリールシート構造に関する。
【背景技術】
【０００２】
係合歯部としてのラック溝は、可動フードを通してリール脚を支持する為に、大型の歯部が形成されており、歯部が大型であるので、歯ピッチも大きくロック片との係合状態が堅固なものとなるように構成してあった。また、係合歯部自体は、シートベースの表面に刻設されたものであり、その位置は固定されたものであった（特許文献１参照）。
【０００３】
【特許文献１】特開２００６−２５６８５号公報（段落番号〔００２５〕、図１）
【発明の開示】
【発明が解決しようとする課題】
【０００４】
上記した係合歯部は形状が大型化しピッチも大きなものとなっている。可動フードでリール脚を保持する際に、リール脚に可動フードのフード部分を当接させて保持しその保持状態を確定するために、ロック手段で行うが、前記したように、係合歯部のピッチが大きなものに形成してあるところから、フード部分を適切な位置でリール脚に当接できないことがあり、ロック状態があまくなることがあった。
【０００５】
本発明の目的は、可動フードのリール脚固定機能を十分に発揮させることのできる釣り竿のリールシート構造を提供する点にある。
【課題を解決するための手段】
【０００６】
〔構成〕
請求項１に係る発明の特徴構成は、前記シートベースに、前記可動フードの可動方向に沿ってスライド移動する調節体を装着し、前記調節体に前記ロック片が係合する係合歯部を設けるとともに調節ネジ部を刻設し、前記調節ネジ部に螺合する調節ナットを前記シートベースに取付け、前記調節ナットへの回転操作によって前記調節体を前記可動フードの可動方向に移動可能に構成してある点にあり、その作用効果は次の通りである。
【０００７】
〔作用〕
つまり、係合歯部を形成する調節体をシートベースに対して可動フードの移動方向に沿って移動可能なものに構成することによって、ロック手段のロック片を係合歯部に係合させた状態で調節体を可動フードの移動方向に沿って移動させることができる。その移動に当っては調節ナットを回転操作することによって行うことができ、細かい調節が可能になる。
リールの取付を具体的に説明すると、十分竿尻側に可動フードを移動させた状態でリール脚をリール載置面に仮置きする。仮置きされたリール脚に対して可動フードを被せ、ロック片を係合歯部に係合させる。これでも、可動フードがリール脚を十分に保持出来ない場合には、調節ナットを回転操作する。そうすると、調節体が移動し、調節体の移動によって可動フードが移動されることとなり、リール脚に対して押え位置を変更することが可能になる。
リール脚を取り外す際には、ロック手段を解除するだけでよく、調節ナットを回転させて調節体を後退させる等の煩しい操作を必要としない。
【０００８】
〔効果〕
以上のように、可動フードの移動方向に沿って設けられている係合歯部のピッチでしか位置決めできないロック手段に対して調節ナットを回転操作することによって細かいピッチで位置決めすることのできる調節ナットを導入することによって、可動フードのリール脚保持位置を適切なものにできた。
しかも、可動フードによるリール脚保持状態を解除する操作はロック手段を解除するだけでよく、ロック手段と調節ナット方式を採用した構成のものであっても、解除操作を容易に行える。
【０００９】
請求項２に係る発明の特徴構成は、前記係合歯部における歯のピッチを前記調節ネジ部のネジピッチより大きく形成してある点にあり、その作用効果は次の通りである。
【００１０】
〔作用効果〕
このような構成によって、より細かく調節ナットでの調節を行うことができ、リール脚の保持をシッカリしたものにできる。
【００１１】
請求項３に係る発明の特徴構成は、請求項１または２記載のリールシート構造を有する釣り竿を形成した点にあり、その作用効果は次の通りである。
【００１２】
〔作用効果〕
このようなリールシート構造を備えることによって、使い易い釣り竿を提供できるに至った。
【発明を実施するための最良の形態】
【００１３】
〔第１実施形態〕
筒状リールシートＡに使用されている可動フード１のロック手段について説明する。
筒状リールシートＡは、図１に示すように、前端部にシートベース３に一体形成された固定フード２、後端部に可動フード１を配置し、リール脚を挿入固定するように構成されている。筒状リールシートＡは、ナイロン樹脂やＡＢＳ樹脂で成形されており、その筒状シートベース３を元竿の所定位置に外嵌させて、接着剤等でその元竿に装着固定される。
【００１４】
可動フード１は、図１及び２に示すように、両横側壁１Ａ，１Ａと天井壁１Ｂとからなる本体部と、天井壁１Ｂの内側に貼り付けられている樹脂フード１Ｃと、樹脂フード１Ｃの後端部内に嵌め込み固定されるとともにその樹脂フード１Ｃより後向き片持ち状に延出される弾性復帰可能なロック片１Ｄと、ロック片１Ｄに当接作用してそのロック片１Ｄを係合姿勢と係合解除姿勢とに切り換えるロック操作片１Ｅとで構成してある。
【００１５】
ロック操作片１Ｅは、先端部分に平板状の摘まみ部を設けるとともに基端部に左右に突出する軸支部を張り出せて形成されている。一方、図２に示すように、両横側壁１Ａ，１Ａの後端部に円弧状の枢支部１ａ，１ａを形成し、前記ロック操作片１Ｅの軸支部を挿入して左右軸支部の横向き軸芯を中心にしてロック操作片１Ｅを前後に揺動開閉自在に構成してある。
【００１６】
以上のように構成された可動フード１は、左右両横側壁１Ａ，１Ａの下端部を折り返して、シートベース３の可動フード１の取り付け台３Ａの誘導溝３Ｂ内に前記した折り返し部を挿入し、その取り付け台３Ａの側面に沿って移動可能に構成してある。可動フード１は、固定フード２に近接する位置でリール脚を固定するリール脚固定位置とそのリール脚固定位置より後ろ向きに後退する退避位置とに亘ってスライド移動自在に構成してある。
【００１７】
次に、リール脚５を固定する際に利用される調節体６について説明する。図２及び図３に示すように、取り付け台３Ａの上向き面に、可動フード１Ａの移動方向に沿って調節体６がスライド移動することを許容する案内溝部３Ｃを形成するとともに、その案内溝部３Ｃ内にステンレス製の板材でなる調節体６を挿入して、調節体６をスライド移動可能に設けてある。案内溝部３Ｃは、シートベース３における大径部から小径部に掛けて形成してあり、小径部の竿尻端において開口ａを有している。したがって、調節体６はこの開口ａを通して案内溝部３Ｃ内に装入される。
【００１８】
調節体６の表面における前半部にはロック片１Ｄが係合する相手側となる係合歯部４が設けてあり、前半部より一段低い状態に形成された後半部には調節ネジ部７が形成されている。図２に示すように、係合歯部４は、後記するように歯先が左右方向に亘って平坦面４ｃに形成されているのに対して、図４に示すように、調節ネジ部７は、歯先７ａが左右方向において円弧状を呈して、調節ナット８との馴染みを良好にすべく構成してある。
【００１９】
まず、係合歯部４について説明する。図２に示すように、係合歯部４は鋸歯状に形成されている。鋸歯状の係合歯部４の歯形の具体的形態は、図５（ａ）に示すように、固定フード２に向かう前向き面４ａが垂直面で反対側の後向き面４ｂが傾斜面に形成されている。この後向き傾斜面４ｂの傾斜角度は垂直面に対して挾角θ＝７０°に設定されている。また、前向き垂直面４ａと後向き傾斜面４ｂとが交差する歯先には僅かな平坦面４ｃが設けてあり、歯先が損傷することを阻止する構成を採ってある。
【００２０】
図２に示すように、前記した係合歯部４に係合するロック片１Ｄは、両側壁１Ａと同様にチタンやステンレス等の金属製の板状部材であり、前記したように、樹脂フード１Ｃから後側に向けて延出してあるが、長手方向の中間位置に下向きの凹入部１ｄを形成するとともに、さらに後端側に円弧状部分１ｅを設けてあり、円弧状部分１ｅの後端を下向きで斜め後方側に延出してある。この下向き後端部分を歯部に係合する係合部１ｆとする。
【００２１】
以上のように構成されたロック片１Ｄに対して、ロック操作片１Ｅの作用によって姿勢切換できるようになっている。つまり、図２に示すように、ロック操作片１Ｅの後端はロック片１Ｄの凹入部１ｄ内に入り込んでロック解除姿勢に切換られており、そのロック解除状態から図３に示すように、ロック操作片１Ｅを天井壁１Ｂの上方に沿ったロック姿勢に倒伏させた状態においては、凹入部１ｄ内に入り込んでいるロック操作片１Ｅの後端が円弧状部分１ｅに当接作用してロック片１Ｄを押え付け、ロック片１Ｄの係合部１ｆを係合歯部４に係合する状態に切換え、可動フード１の位置を固定する。この状態がロック状態である。この状態は、固定フード２と可動フード１とでリール脚部を筒状リールシートＡに締め付け固定する状態である。
【００２２】
図２に示すように、ロック状態からロック操作片１Ｅを後方側に持ち上げ操作すると、円弧状部分１ｅに当接作用していたロック操作片１Ｅの後端がロック片１Ｄから離間して凹入部１ｄ内に入り込む。このことによって、ロック片１Ｄを抑える操作力が解除され、ロック片１Ｄは自己の弾性復帰力によって上方に復帰作動する。これによって、ロック片１Ｄの係合部１ｆを係合歯部４に係合する状態から解放し、可動フード１の移動を許容する状態に切り換える。
【００２３】
調節ネジ部７について説明する。図２から図５に示すように、調節ネジ部７は前記したように、調節体６における係合歯部４を形成した前半部６Ａに比べて厚さが薄くなっている後半部６Ｂに形成されている。図５（ｂ）に示すように、ネジピッチｐ２が係合歯部４の歯のピッチｐ１より小さくなっており、一般的な断面における傾斜面７ａの角度が同一の山形ネジを調節ネジ部７として導入している。この調節ネジ部７には、図１から図３に示すように、リールシート３の外径に相当する調節ナット８が螺合しており、この調節ナット８は、シートベース３にスライド移動不能でかつ周方向に回転可能に取り付けてある。
このような調節ナット８と調節ネジ部７との組み合わせによって、調節体６を可動フード１Ａの移動方向に移動調節可能に構成してある。
【００２４】
調節ナット８の取り付け構造について説明する。図２〜図４に示すように、リールシートでは、シートベース３におけるリール脚５の取り付け部位を大径部に形成するとともに、調節ナット８を取り付ける部分を小径部に形成してある。シートベース３における大径部と小径部との間には、段差部３Ｄが設けてあり、この段差部３Ｄの縦壁面３ａによって、調節ナット８の可動フード存在側への移動が阻止されている。
【００２５】
一方、段差部３Ｄより竿尻側の小径部には、シートベース３の軸線方向における幅が狭い環状溝３ｂが形成してあり、軸用止め輪９を装着可能に構成してある。つまり、シートベース３の小径部に外嵌された調節用ナット８は、そのナット部分の竿先側端面を段差部３Ｄの縦壁面３ａに当接させるとともに、竿尻側端面を軸用止め輪９に当接させて、シートベース３の軸線方向に沿った方向への移動が規制されている。
ただし、調節ナット８は、小径部に対して遊嵌されているので、回転は自在である。
【００２６】
以上のような構成によって、次ぎのような使用が可能である。図２及び図３に示すように、リール脚５を取り付け固定するには、シートベース３部分の取り付け台３Ａに載置した状態で可動フード１を移動させて、可動フード１をリール脚５に被覆する。可動フード１を被覆した状態で、第３図に示すように、ロック片１Ｄを倒し操作することによって、リール脚５を固定できる。
【００２７】
ロック片１Ｄでリール脚５をロック固定した状態であっても、可動フード１がリール脚５に対して十分な保持状態が得られない場合には、調節ナット８を回転調節させて、可動フード１をリール脚５に十分当接させる構成を採ることができる。係合歯部４はリール脚５を受止める必要のあるところから、歯が大型でかつピッチｐ１も大きなものに形成されている。したがって、可動フード１位置を大まか状態でしか位置決めできない。これに対して調節ネジ部７においては、調節ナット８を回転させながら調節体６を移動させるので、ピッチｐ２を係合歯部４のピッチｐ１より小に形成することと相俟って、細かい調節が可能である。
リール脚５を取り外す際には、ロック操作片１Ｅを起こし処理してロック解除するだけで、可動フード１をリール脚５より離間させることができる。この場合に調節体６を後退させる必要がないので、操作が容易である。
【００２８】
〔別実施の形態〕
（１）  可動フード１を移動させるのに、ナットで移動する方法を採ってもよい。この場合には、可動フード１を移動させるナットと調節ナット８との二つのナットが使用されるが、相手側のネジピッチとしては、調節ナット８側のネジピッチが小さくなければならない。
（２）  前記したリールシートＡを適用する釣竿としては、釣糸ガイドを竿の外面に取り付けた外付け式の釣竿だけでなく、糸挿通経路を竿内に形成する中通し竿にも適用可能である。
【図面の簡単な説明】
【００２９】
【図１】筒状リールシートを示す斜視図
【図２】可動フード、ロック手段、調節体、調節ナットの取付固定構造を示し、ロック操作片をロック解除姿勢に設定した状態を示す縦断側面図
【図３】可動フード、ロック手段、調節体、調節ナットの取付固定構造を示し、ロック操作片をロック姿勢に設定した状態を示す縦断側面図
【図４】調節体と調節ナットとの係合状態を示す縦断正面図
【図５】（ａ）は係合歯部を示す縦断側面図、（ｂ）は調節ネジ部を示す縦断側面図
【符号の説明】
【００３０】
１            可動フード
１Ｄ          ロック片
３            シートベース
４            係合歯部
６            調節体
７            調節ネジ部
８            調節ナット
ｐ１、ｐ２    ピッチ
【図１】
0005207764.tif 000002
【図２】
0005207764.tif 000003
【図３】
0005207764.tif 000004
【図４】
0005207764.tif 000005
【図５】
0005207764.tif 000006